(57)【要約】【課題】  本発明は、片手で使え、かつ、舌の側部を清掃する場合でも口蓋内面を傷つけることなく使用できる舌苔清掃具を提供しようとするものである。【解決手段】  本発明の舌苔清掃具１は、ヘッド部１と、該ヘッド部１の一端に連設した竿状把持部３を有する舌苔清掃具であって、該竿状把持部３の長手方向と平行に延びる谷部を有する凹曲面を表裏いずれか一方の面に有する扁平薄型ヘッド部と、該凹曲面１ａに添着され、表面が粗面に形成され、多孔性あるいは多間隙性を有するシートとしての織布４と、を有することを特徴とする。舌の両側の側部を清掃するときはヘッド部１の凹曲面１ａを使う。ヘッド部１を舌上に押し当てながら進退動するだけでヘッド部が横ズレして舌上から外れることなく、かつ、吐き気を催すことなく使用できる。【選択図】      図１
2008188275.tif 000002
【特許請求の範囲】
【請求項１】
ヘッド部と、該ヘッド部の一端に連設した竿状把持部を有する舌苔清掃具であって、
該竿状把持部の長手方向と平行に延びる谷部を有する凹曲面を表裏いずれか一方の面に有する扁平薄型ヘッド部と、前記凹曲面に添着され、表面が粗面に形成され、多孔性あるいは多間隙性を有するシートと、を有することを特徴とする舌苔清掃具。
【請求項２】
前記ヘッド部が、竿状把持部の長手方向と平行に延びる谷部を有する凹曲面を表裏いずれか一方の面に有し、ほぼ等厚な扁平薄型に形成され、他方の面が凸曲面に形成されていることを特徴とする請求項１に記載の舌苔清掃具。
【請求項３】
前記シートが、ヘッド部の表裏の両面に添着されていることを特徴とする請求項１または２に記載の舌苔清掃具。
【請求項４】
前記シートが、織布あるいは不織シートであることを特徴とする請求項１ないし３のうち１項に記載の舌苔清掃具。
【請求項５】
前記織布が、主に緯糸あるいは経糸が浮き上がった織布であり、該織布の浮き上がった緯糸あるいは経糸が、前記竿状把持部の長手方向と交差する方向で、かつ、ヘッド部の表裏の何れかあるいは両方の面に添着されていることを特徴とする請求項１ないし４のうち１項に記載の舌苔清掃具。
【請求項６】
前記織布が、パイル織り織布であり、該織布の緯糸あるいは経糸にパイル糸を有し、該パイル糸が、前記竿状把持部の長手方向と交差する方向に添着されていることを特徴とする請求項１ないし５のうち１項に記載の舌苔清掃具。
【発明の詳細な説明】
【技術分野】
【０００１】
本発明は、舌苔清掃具に関するものである。
【背景技術】
【０００２】
従来、舌苔清掃具として、特開２００１-１６１７２０（特許文献１）や、実用新案登録第２５１５４６５号（特許文献２）があった。特許文献１の舌クリーナーは、ヘッド部と、これに続く首部と、首部に続く把持部を備えた舌クリーナーであり、このヘッド部を扁平薄型に形成し、ヘッド部の表面に把持部長手方向と直交する向きに直線もしくは円弧状に複数本の刷掃体を所望間隔に突設しており、ヘッド部先端側から見ると刷掃体の先端面の輪郭線形状は舌断面の表面に沿うように左右対称に形成されたものであった。また、特許文献２（実登第２５１５４６５号）の舌苔取りブラシは、屈曲性のある棒状物に、少なくともパイル部がマルチフイラメント糸からなるループパイル布帛を固定した舌苔取りブラシである。
【特許文献１】特開２００１-１６１７２０
【特許文献２】実用新案登録第２５１５４６５号
【発明の開示】
【発明が解決しようとする課題】
【０００３】
前述の特許文献１の舌クリーナーのヘッド部の幅は、舌幅の左右全体をほぼ覆える幅を有しており、舌の中央部や奥を清掃する場合には吐き気を催すことなく使用できるものである。しかしながら、舌の左右の側部近くを清掃するときは、清掃しようとする舌の側部と反対側のヘッド部を上方に持ち上げて清掃することになり、持上げた側のヘッド部の裏面が口蓋内面に当り傷付けやすかった。また、特許文献２の舌苔取りブラシは、屈曲性があるとは言え、合成樹脂や金属で作った棒状物に、少なくともパイル部がマルチフイラメント糸からなるループパイル布帛を固定した物である。この棒状体は、厚さ２ｍｍ、幅１０ｍｍ、長さ２３０ｍｍのポリエチレン製棒状体（薄板状、へら状、パイプ状）に、その両端４０ｍｍを持ち手用に残してループパイル布帛を接着固定した舌苔取りブラシであるから、棒状体のループパイル布帛が接着固定されていない部分を両手の親指と人差し指でつまんで使うものである。したがって、舌の奥が清掃し難い上に片手では大変使い勝手の悪いものである。
【０００４】
本発明は、片手で使え、かつ、舌の側部を清掃する場合でも口蓋内面を傷つけることなく使用できる舌苔清掃具を提供しようとするものである。
【課題を解決するための手段】
【０００５】
本発明の舌苔清掃具は、ヘッド部と、該ヘッド部の一端に連設した竿状把持部を有する舌苔清掃具であって、該竿状把持部の長手方向と平行に延びる谷部を有する凹曲面を表裏いずれか一方の面に有する扁平薄型ヘッド部と、前記凹曲面に添着され、表面が粗面に形成され、多孔性あるいは多間隙性を有するシートと、を有することを特徴とする。
【０００６】
また、前記ヘッド部が、竿状把持部の長手方向と平行に延びる谷部を有する凹曲面を表裏いずれか一方の面に有し、ほぼ等厚な扁平薄型に形成され、他方の面が凸曲面に形成された構成としたり、あるいは、前記シートを、ヘッド部の表裏の両面に添着したり、シートを織布あるいは不織シートとしたりすることができる。
【０００７】
さらに、前記織布を、主に緯糸あるいは経糸が浮き上がった織布とし、該織布の浮き上がった緯糸あるいは経糸を、前記竿状把持部の長手方向と交差する方向でかつヘッド部の表裏の何れかあるいは両方の面に添着させたり、あるいは、前記織布を、パイル織り織布とし、該織布の緯糸あるいは経糸にパイル糸を使い、該パイル糸を、前記竿状把持部の長手方向と交差する方向に添着することもできる。
【発明の効果】
【０００８】
請求項１のヘッド部と、該ヘッド部の一端に連設した竿状把持部を有する舌苔清掃具は、該竿状把持部の長手方向と平行に延びる谷部を有する凹曲面を表裏いずれか一方の面に有する扁平薄型ヘッド部と、前記凹曲面に添着され、表面が粗面に形成され、多孔性あるいは多間隙性を有するシートと、を有している。この舌苔清掃具により舌の両側部上の舌苔を清掃するとき、この凹曲面に舌の盛り上がった両側部が嵌りこむから、舌苔清掃具が横ずれせず、竿状把持部を手で持って凹曲面を舌上に当てて進退動するだけで、舌苔を清掃できる。また、舌苔を清掃時に、扁平薄型に形成されたヘッド部を舌上で進退動してもヘッド部の裏側が、口蓋の内面に当らず、スムースに舌苔を清掃できる。この凹曲面の幅は、舌の幅の約１／２程度であるから、舌の左右何れかを清掃するときでもヘッド部が大きく浮き上がることがないから清掃がしやすい。そして、凹曲面に添着した織布は、表面がざらついた小さな凹凸があるので竿状把持部を握り舌上でヘッド部を進退動させる度にこの凹凸が舌苔を引起す結果、舌苔に隠れた垢を掻きだすから確実に清掃できるし、小さな凹凸と言っても織布や不織シートなどの柔かい凹凸であるから舌を傷つけることはない。以上の結果、扁平薄型ヘッド部を有する舌苔清掃具で舌の上面は勿論両側部上を清掃する場合でも、舌や口蓋を傷つけることなく、舌苔を確実に清掃でき、かつ、清掃時に吐き気を催すことなく使用できる。
【０００９】
請求項２のヘッド部が、前記ヘッド部が、竿状把持部の長手方向と平行に延びる谷部を有する凹曲面を表裏いずれか一方の面に有し、ほぼ等厚な扁平薄型に形成され、他方の面が凸曲面に形成されている舌苔清掃具は、前記舌苔清掃具の効果に加え、舌の両側部上を掃除するとき舌の中央よりの浮き上がりが少ないから口蓋を傷つける可能性が少なくなった。
【００１０】
請求項３のシートがヘッド部の表裏の両面に添着されている舌苔清掃具は、前記請求項１と２の舌苔清掃具と同様の効果に加え、ヘッド部の凸状の裏面は、舌の僅かに窪んだ中央部と奥を掃除し易くなった。
【００１１】
請求項４の舌苔清掃具は、前記シートが、織布あるいは不織シートである舌苔清掃具は、表面が粗面に形成された織布あるいは不織シートであるから前述のそれぞれの舌苔清掃具と同様の効果が得られる。
【００１２】
請求項５の舌苔清掃具は、前記織布が、主に緯糸あるいは経糸が浮き上がった織布すなわち綾織であり、該織布の浮き上がった緯糸あるいは経糸が、前記竿状把持部の長手方向と交差する方向でかつヘッド部の表裏の何れかあるいは両方の面に添着されている。この浮き上がった緯糸あるいは経糸が、前記竿状把持部の長手方向と交差する方向を向いているからヘッド部を舌の上に当て進退動させると、浮き上がった緯糸あるいは経糸が舌苔を引起しながら舌苔の陰の垢を掻き出してくれるので、より一層舌の清掃がし易くなった。
【００１３】
請求項６の舌苔清掃具は、前記織布が、パイル織り織布であり、該織布の緯糸あるいは経糸にパイル糸を有し、該パイル糸が、前記竿状把持部の長手方向と交差する方向に添着されている。このパイル糸が、前記竿状把持部の長手方向と交差する方向を向いているからヘッド部を舌の上に載せて進退動すると、請求項４の場合と同様、パイル糸が舌苔を引起しながら舌苔の陰の垢を掻き出して清掃してくれる上に、織布の下地から突出したパイル糸が長いから一層効果的である。
【発明を実施するための最良の形態】
【００１４】
図１〜３に示すように、本発明の舌苔清掃具は、ヘッド部１と、首部２と、竿状把持部３を有しており、ヘッド部１と竿状把持部３は、細い柔軟性に富んだ首部２を介して連設されている。このヘッド部１は、扁平薄型に形成されており、一側の面が竿状把持部３の長手方向と平行に延びる谷部を有する凹曲面１ａを有し、反対側の裏面はほぼ平らな平坦面１ｂになっている。竿状把持部３は、手で握りやすい形状になっている。このヘッド部１の凹局面１ａにシートとしての織布４を添着する。織布４の詳細については後述する。ヘッド部１の反対側のほぼ平らな裏面にも織布４を添着することが望ましい。ヘッド部１への織布４の添着方法は、通常の接着剤あるいは感圧接着剤による接着法、高周波あるいは超音波などによる接着法で接合固定する。なお、各実施例で示した図では、シートとして種々の織布４を図示して説明しているが、シートは織布４に拘るものではなく、不織シート（一般に不織紙）や発泡シートなど柔軟な多孔性あるいは多間隙性を有するシートであって、表面に微細な無数の凹凸を有する粗面に形成されたシートであれば良く、柔軟なシ−ト上に繊維や毛などを植設したものなどでも良い。
【００１５】
上記構成の舌苔清掃具は、竿状把持部３を手で握り、ヘッド部１の織布４を舌の左右何れかの上面に軽く押し当て、竿状把持部３を握った手を竿状把持部３の長手方向に進退動させるだけで良く、舌の左右の側部近傍にヘッド部１を当てても、ヘッド部１が横ずれして舌の上から外れることが少ない。このように、舌の上に織布４を押し当てながらヘッド部１を進退動させると、織布４の表面の無数の小さな凹凸が、舌上の舌苔を引起しながら舌苔の影の垢を引き出しながら掻きだしてくれる。また、舌の中央部や奥は、ヘッド部１の裏面の平坦面１ｂに添着した織布４で掃除すると良い。さらに、ヘッド部１が扁平薄型に形成されており、両端側の一番厚いところでも８ｍｍ程度しかなく、このヘッド部１の両面に例え１ｍｍ厚の織布４を添着してもヘッド部１全体の厚さが、１０ｍｍ程度以下である(一般の歯ブラシは１５ｍｍ程度)。このように歯ブラシの２／３程度以下の厚さしかない舌苔清掃具を口腔内で進退動しても清掃時に吐き気を催すことなく使用できる。なお、舌の中央部や奥を清掃するときは、ヘッド部１の裏面のほぼ平らな平坦面１ｂ上に織布４を添着し、この織布４を舌に当てればよいが、後述する実施例の凸曲面に添着した織布４を使用したほうが効果的である。
【００１６】
次に、図４に示した実施例を説明するが、前記実施例と共通する記載済み部分は省略し、相違点を中心に説明する（以下説明する実施例においても全て同様である）。前記ヘッド部１全体を竿状把持部３の長手方向と交差する方向に湾曲させた、すなわち、ヘッド部１の一側に凹曲面１ａを、反対側の裏面に凸曲面５ａを形成したヘッド部５を有する舌苔清掃具である。なお、上記説明では、ヘッド部５の表裏の両面に織布４を添着した例を図示して説明しているが、図５に示すように、ヘッド部６全体を織布４で覆うこともでき、この場合の作用効果に大きな違いはない。６ａは、ヘッド部６の裏面の凸曲面である。さらに、以上の説明では、ヘッド部１の平面形状を変形楕円形状の図で説明しているが、図６に示すように横長の長円形状のヘッド部７とするなど他の形状であっても良い。
【００１７】
上記構成の舌苔清掃具は、前述の実施例の作用効果に加え、舌の凹曲面である中央部や奥の上にヘッド部５，６の凸曲面６ａに添着した織布４を押し当て、手に握った竿状把持部３を長手方向に進退動すると、舌の中央部と奥を清掃できる。なお、舌の中央部や奥を清掃するときは、ヘッド部１の平坦面１ｂ上の織布４を舌に当てればよいが、後述する実施例の凸曲面に添着した織布４を使用したほうが効果的である。
【００１８】
上記実施例で説明したヘッド部１，５，６，７の表裏に添着した織布４についてさらに詳細に説明する。図７(ａ)は、平織の織組織図であり、図７（ｂ）は図７（ａ）のＣ―Ｃ線切断断面図である。図では、緯糸１１の方が経糸１２より太く表されている。図７（ｂ）に示すように、織布では、経糸は真っ直ぐであるのに対し、緯糸は、経糸を避けるように蛇行する。そのため、平織の織布１０の緯糸１１を経糸１２より太くすると、織布１０の表面の無数の小さな凹凸が大きく粗くなる。この緯糸１１を竿状把持部３の長手方向と交差（直交が望ましい）する方向でヘッド部１，５，６，７の表裏の凹曲面１ａと平坦面１ｂ，凸曲面５ａ，６ａに添着し、舌の上に押し当てたヘッド部１，５，６，７を進退動すると、平織織布１０の表面の無数の小さな凹凸が舌苔を引起して舌苔の陰の垢を引き出しやすくなる。なお、経糸１２を緯糸１１より太くした場合は、経糸１２を竿状把持部３の長手方向と交差する方向でヘッド部１，５，６，７の表裏の凹曲面１ａと平坦面１ｂ，凸曲面５ａ，６ａに添着すればよい。
【００１９】
図８(ａ)は、綾織の織布１３の織組織図であり、図８（ｂ）は、図８（ａ）のＤ―Ｄ線切断断面図である。この図も緯糸１４の方が経糸１５より太く表されている。綾織の織布１３の場合は、緯糸１４が２本の経糸を飛び越して織られ織布の表面に浮き上がっているので舌苔を引起しやすく、舌苔の陰の垢を削り落とす効果が大きくなる。図８のように、緯糸１４を経糸１５より太くすると、一層効果的である。この緯糸１４を竿状把持部３の長手方向と交差（直交が望ましい）する方向でヘッド部１，５，６，７の表裏の凹曲面１ａと平坦面１ｂ，凸曲面５ａ，６ａに添着し、舌の上に押し当てたヘッド部１，５，６，７を進退動すると、織布４の表面に浮き上がった緯糸１４が舌苔を引起して舌苔の陰の垢を掻きだしやすくなる。なお、経糸１５を緯糸１４より太くした場合は、経糸１５を竿状把持部３の長手方向と交差する方向でヘッド部１，５，６，７の表裏の凹曲面１ａと平坦面１ｂ，凸曲面５ａ，６ａに添着すればよい。
【００２０】
図９(ａ)は、朱子織の織布１６の組織図であり、図９（ｂ）は図９（ａ）のＥ―Ｅ線切断断面図であり、この図も緯糸１７の方が経糸１８より太く表されている。朱子織の織布１６の場合は、緯糸１７が４本以上の経糸１８を飛び越して織られ、朱子織の織布１６の表面に浮き上がっているので、綾織の職布１３よりもさらに舌苔を引起しやすく、舌苔の陰の垢を掻きだす効果がより大きい。この緯糸１７を経糸１８より太くすると、一層効果的である。この緯糸１７を竿状把持部３の長手方向と交差（直交が望ましい）する方向でヘッド部１，５，６，７の表裏の凹曲面１ａと平坦面１ｂ，凸曲面５ａ，６ａに添着し、舌の上に押し当てたヘッド部１，５，６，７を進退動すると、朱子織の織布１６の表面に浮き上がった緯糸１７が舌苔を引起して舌苔の陰の垢をより一層掻きだしやすくなる。なお、経糸１８を緯糸１７より太くした場合は、経糸１８を竿状把持部３の長手方向と交差する方向でヘッド部１，５，６，７の表裏の凹曲面１ａと平坦面１ｂ，凸曲面５ａ，６ａに添着すればよい。
【００２１】
図１０は、パイル織の織布１９の断面図である。パイル織の織布１９の場合は、経糸（パイル糸、地経糸）２０の一部（パイル糸）がパイル織の織布１９の表面にリング状の輪２０ａとして飛び出して織られているので、このパイル糸２０の輪２０ａが舌苔と絡んで舌苔を引起しやすく、舌苔の陰の垢を掻きだしやすくより効果的である。このパイル織の織布１９の表面にリング状に飛び出した無数のパイル糸２０の輪２０ａを竿状把持部３の長手方向と交差（直交が望ましい）する方向でヘッド部１，５，６，７の表裏の凹曲面１ａと平坦面１ｂ，凸曲面５ａ，６ａに添着し、舌の上に押し当てたヘッド部１，５，６，７を進退動すると、パイル織の織布１９の表面に浮き上がった経糸であるパイル糸２０の無数の輪２０ａが舌苔と絡んで舌苔を引起して舌苔の陰の垢を掻きだしやすくなる。符号２１は、緯糸である。
【産業上の利用可能性】
【００２２】
本発明の舌苔清掃具は、舌苔の清掃用具として使える。
【図面の簡単な説明】
【００２３】
【図１】本発明の舌苔清掃具を示す平面図である。
【図２】図１のＡ−Ａ線断面図である。
【図３】図１のＢ−Ｂ線拡大断面図である。
【図４】本発明の舌苔清掃具の異なる実施例のヘッド部を示す要部拡大断面図である。
【図５】本発明の舌苔清掃具の異なる実施例のヘッド部を示す要部拡大断面図である。
【図６】本発明の舌苔清掃具の異なる実施例のヘッド部を示す要部平面図である。
【図７】（ａ）は本発明の舌苔清掃具のヘッド部の表裏に添着した平織織布の組織図、（ｂ）は、図７（ａ）のＣ−Ｃ線切断断面図である。
【図８】（ａ）は、本発明の舌苔清掃具のヘッド部の表裏に添着した綾織織布の組織図で、（ｂ）は、図８（ａ）のＤ−Ｄ線切断断面図である。
【図９】（ａ）は、本発明の舌苔清掃具のヘッド部の表裏に添着した朱子織の織布の組織図で、（ｂ）は、図７（ａ）のＥ−Ｅ線切断断面図である。
【図１０】本発明の舌苔清掃具のヘッド部の表裏に添着したパイル織の織布の断面図である。
【符号の説明】
【００２４】
１          ヘッド部
１ａ        ヘッド部の湾曲した凹曲面
１ｂ        ヘッド部の平坦面
２          首部
３          竿状把持部
４          シートとしての織布
５          ヘッド部
５ａ        ヘッド部の凸曲面
６          ヘッド部
６ａ        ヘッド部の凸曲面
７          横長の長円形状のヘッド部
１０          平織織布
１１          緯糸
１２          経糸
１３          綾織織布
１４          綾織織布の緯糸
１５          綾織織布の経糸
１６          朱子織の織布
１７          朱子織の織布の緯糸
１８          朱子織の織布の経糸
１９          パイル織の織布
２０          パイル織の織布の経糸（パイル糸、地経糸）
２０ａ        パイル織の織布の経糸のリング状の輪
２１          パイル織の織布の緯糸
【図１】
2008188275.tif 000003
【図２】
2008188275.tif 000004
【図３】
2008188275.tif 000005
【図４】
2008188275.tif 000006
【図５】
2008188275.tif 000007
【図６】
2008188275.tif 000008
【図７】
2008188275.tif 000009
【図８】
2008188275.tif 000010
【図９】
2008188275.tif 000011
【図１０】
2008188275.tif 000012